(57)【要約】      （修正有）【課題】遊技機に新たな設備を設けることなく低コストで製造ができ、周囲の騒音をシャットアウトして音質が良いスピーカから発生する演出音を遊技者が明瞭に聞き取ることができ、遊技機の電子部品に影響を与える電気的な部品を一切使用することのない衛生的な遊技機用集音装置を提供する。【解決手段】合成樹脂製で椀状の一対の集音カップと、それぞれの集音カップに接続されたフレキシブルな材料で形成された中空音伝送チューブと、各中空音伝送チューブの他端に接続された聴音用耳当接部材とを備え、前記集音カップの上部および下部には上部突起片８ａおよび下部突起片８ｃが形成され、前記上部突起片には係合穴８ｂが形成され、下部突起片には錘８ｄが一体化して配設し、前記上部突起片の前記係合穴を遊技機の前面左右に配置したスピーカの上部に形成した係止具６に係合することを特徴とする。【選択図】図３
0003146108.tif 000002
【実用新案登録請求の範囲】
【請求項１】
合成樹脂製で椀状に形成された一対の集音カップと、
前記各集音カップに接続されたフレキシブルな材料で形成された中空音伝送チューブと、
前記各中空音伝送チューブの他端に接続された聴音用耳当接部材と、
を備え、
前記集音カップの上部および下部には上部突起部および下部突起部が形成され、
前記上部突起部には係合穴が形成され、前記下部突起部には錘が一体化して配設され、
前記上部突起部の前記係合穴を遊技機の前面左右に配置したスピーカの上部に形成した係止具に係合することを特徴とする遊技機用集音装置。
【請求項２】
前記各中空音伝送チューブに摺動自在に接続カップリングが装着され、前記接続カップリング同士を接続・離脱可能にしたことを特徴とする請求項１に記載の遊技機用集音装置。
【請求項３】
前記集音カップを透明合成樹脂で形成したことを特徴とする請求項１または２に記載の遊技機用集音装置。
【請求項４】
前記集音カップ及び前記聴音用耳当接部材を前記中空音伝送チューブに対して着脱自在としたことを特徴とする請求項１〜３のいずれか１項に記載の遊技機用集音装置。
【考案の詳細な説明】
【技術分野】
【０００１】
本考案は、パチンコ機、パチスロ機等の遊技機に使用される遊技機用集音装置に関する。
【背景技術】
【０００２】
一般に、パチンコ機やパチスロ機等の遊技機は、演出音を発生するスピーカを備えており、該スピーカから各種の効果音或いは報知音、音楽、ストリー等の演出音を遊技状態に応じて発生するようになっている。
【０００３】
演出音は遊技の興趣性を高めるために欠かせないものであるが、該演出音は稼動中の各遊技機から略連続的に発生するため、これらが混ざり合って大きな騒音となる。個々の遊技者にとっては周囲の遊技機から発生する演出音は、自分が遊技している遊技機の遊技状態に全く関係のないものであるため煩わしさを感じたり、場合によっては、その騒音のために自分が遊技している遊技機から発生した演出音が聞こえないこともある。このような不具合を解消する目的で、特開２００２−１８６７１０号公報には、遊技機本体から前方に突設したアームを介してヘッドホンを保持するようにした遊技機が開示されている。
【特許文献１】特開２００２−１８６７１０号公報
【考案の開示】
【考案が解決しようとする課題】
【０００４】
ところで、遊技者に対して当該遊技機で発生する演出音を周囲の騒音に邪魔されることなく明瞭に聞き取らせるためには、音質が良く大きな音量を出力する大型のスピーカを、着座姿勢にある遊技者の耳になるべく近い高さに対応する遊技機本体の前面位置に配設することが望ましいのであるが、該位置には、遊技領域を始めとして各種遊技構成部材が配設されているため、大型のスピーカを配設する広いスペースを確保することは極めて困難である。また、パチンコ遊技機にあっては、大型のスピーカを遊技領域に近接させると、該スピーカが具備する磁石によって遊技球に対する悪影響が生じる恐れもある。また、パチンコ機、パチスロ機等の遊技機においては、不正行為や不正遊技の防止から種々の法規制があり、特に遊技機の制御ユニットの信号の外部への取り出しは禁止されているため、電気的イヤホン等の遊技機への装着は避けたいという要求がある。
【０００５】
また、特許文献１に開示されているように、遊技機本体の前方にヘッドホンを保持するようにしたものにあっては、周囲の騒音を排除して当該遊技機で発生する演出音を聞き取らせることはできるものの、椅子に座ったり、立ったりするときに邪魔となる上、遊技中は、アームに保持されたヘッドホンを装着するため同一姿勢を維持することを余儀なくされる。また、ヘッドホンをアームを介して各遊技機に電気的接続を介して配置するという大掛かりな設備の設置のため高コストになるという問題があり、実用性に難点があるものであった。
【０００６】
本考案は、従来技術の持つ課題を解決する、遊技機に新たな設備を設けることなく低コストで製造ができ、周囲の騒音をシャットアウトして音質が良いスピーカから発生する演出音を遊技者が明瞭に聞き取ることができ、遊技機の電子部品に影響を与える電気的な部品を一切使用することのない衛生的な遊技機用集音装置を提供することを目的とするものである。
【課題を解決するための手段】
【０００７】
本考案の遊技機用集音装置は、前記課題を解決するために、合成樹脂製で椀状の一対の集音カップと、それぞれの集音カップに接続されたフレキシブルな材料で形成された中空音伝送チューブと、各中空音伝送チューブの他端に接続された聴音用耳当接部材とを備え、前記集音カップの上部および下部には上部突起部および下部突起部が形成され、前記上部突起部には係合穴が形成され、前記下部突起部には錘が一体化して配設し、前記上部突起片の前記係合穴を遊技機の前面左右に配置したスピーカの上部に形成した係止具に係合することを特徴とする。
【０００８】
また、本考案の遊技機用集音装置は、前記各中空音伝送チューブに摺動自在に接続カップリングが装着され、前記接続カップリング同士を接続・離脱可能にしたことを特徴とする。
【０００９】
また、本考案の遊技機用集音装置は、前記集音カップを透明合成樹脂で形成したことを特徴とする。
【００１０】
また、本考案の遊技機用集音装置は、前記集音カップ及び前記聴音用耳当接部材を前記中空音伝送チューブに対して着脱自在としたことを特徴とする。
【考案の効果】
【００１１】
本考案の合成樹脂製で椀状の一対の集音カップと、それぞれの集音カップに接続されたフレキシブルな材料で形成された中空音伝送チューブと、各中空音伝送チューブの他端に接続された聴音用耳当接部材とを備え、前記集音カップの上部および下部には上部突起部および下部突起部が形成され、前記上部突起部には係合穴が形成され、前記下部突起部には錘が一体化して配設し、前記上部突起部の前記係合穴を遊技機の前面左右に配置したスピーカの上部に形成した係止具に係合する構成により、遊技機に新たな設備を設けることなく低コストで製造ができ、集音カップのスピーカへの装着が容易で、周囲の騒音をシャットアウトして音質が良いスピーカから発生する演出音を明瞭に聞き取ることができ、さらに、電気的な部品を一切使用していないので遊技機の電子部品に影響を与えることがない。
【００１２】
また、各中空音伝送チューブに摺動自在に接続カップリングが装着され、前記接続カップリング同士を接続・離脱可能にした構成により、使用時には接続カップリングの中空音伝送チューブの位置を調整して遊技の邪魔にならないように装着でき、使用後は接続カップリングを離脱状態として洗浄、消毒を容易とし、不使用時の収納時には接続状態としてコンパクトな状態として次の使用の場合容易に遊技者に貸与することができる。
【００１３】
また、集音カップを透明合成樹脂で形成した構成により、磁石等の電気部品を集音カップ内に隠して使用するような不正遊技を防止することができる。
【００１４】
また、集音カップ及び聴音用耳当接部材を前記中空音伝送チューブに対して着脱自在とした構成により、各部材の破損や汚れによるによる部材毎の交換を容易にすることができる。また、特に不特定多数の遊技者の耳に接触する聴音耳当接部材を、集音カップ、中空音伝送チューブと分離して洗浄、消毒することができる。
【考案を実施するための最良の形態】
【００１５】
以下、本考案の実施形態を図面を参照しつつ説明する。図１はパチンコ機の正面図であり、図２はパチスロ機の正面図である。
【００１６】
図１、図２に示されるようにパチンコ機や、パチスロ機のような遊技機２には左右１対のスピーカ５が設置される。左右１対のスピーカ５を配置することにより遊技機の前に座って遊技する遊技者に対して演出音のステレオ効果を与えることができる。
【００１７】
スピーカ５は遊技機２の裏側に配置された音声制御回路に接続されている。音声制御回路は中央演算装置（ＣＰＵ）の制御により、各遊技状態に対応した演出音を選択し、スピーカ５から出力する。この演出音の種類には、大当たり発生状態、リーチ状態の他、通常遊技状態、図柄変動表示状態等に対応してそれぞれ出力される演出音が用意され、音声用メモリに記憶されている。
【００１８】
このような遊技機２において、前記課題を解決するための本考案の遊技機用集音装置１の実施形態を図３〜図７により説明する。
【００１９】
遊技機用集音装置１は、遊技機２の前面の左右に配置されたスピーカ５に取り付けられる集音カップ８を備えてしる。図３（Ａ）（Ｂ）に示されるように、集音カップ８は合成樹脂で椀状に形成され、その頂部に中空音伝送チューブ９との接続部８ｅが形成される。また、集音カップ８の底面の上部には、集音カップ８の底面と同一平面をなす上部突起部８ａが形成され、集音カップ８の底面の下部には、集音カップ８の底面と同一平面をなす下部突起部８ｃが形成される。上部突起部８ａには係合穴８ｂが形成される。下部突起部８ｃには、錘８ｄが接着剤等により固定されて配置される。錘８ｄの下部突起部８ｃへの配置は、集音カップ８の成形時に錘８ｄを下部突起部と一体になるように成形して配置しれも良い。集音カップ８は透明な合成樹脂で形成するのが望ましい。透明合成樹脂で形成することにより、遊技機２に直接接触する集音カップ８内に磁石等の不正遊技に用いる電気部品を隠して使用するような不正遊技を防止できる。
【００２０】
図３（Ｂ）に示されるように、集音カップ８の上部突起部８ａに形成した係合穴８ｂを、遊技機２のスピーカ５の上部に形成した係止具６に係合すると、集音カップ８の下部突起部８ｃに一体化されて配置された錘８ｄによる重力作用により集音カップ８の底面がスピーカ５の表面に密着し、集音効果を向上させる。
【００２１】
図４に示されるように、集音カップ８の頂部に形成された接続部に、ゴムや合成樹脂等のフレキシブルな材料で形成された中空音伝送チューブ９の一端部が着脱自在に装着される。中空音伝送チューブ９の他端部に聴音耳当接部材１０が着脱自在に接続される。図４に示される実施形態では、聴音耳当接部材１０は、遊技者の耳穴に挿入するタイプのものを使用している。中空音伝送チューブ９の長さは、集音カップ８を遊技機２のスピーカ５に配置し、聴音耳当接部材１０を遊技者の耳に装着した状態で余裕のある長さとする。中空音伝送チューブ９の長さが短いと、遊技者のちょっとした動きで聴音耳当接部材１０が外れてしまう恐れがあり、長すぎると遊技の邪魔になるとと共に、スピーカ５からの音が減衰し聞き取りにくくなる。
【００２２】
また、中空音伝送チューブ９に接続カップリング１１が摺動自在に嵌挿される。接続カップリング１１は、中空音伝送チューブ９を嵌挿するための穴と、接続カップリング１１同士を着脱自在に係合するための、例えばフック等の係合部を備えている。遊技機用集音装置１の使用時に、聴音耳当接部材１０を遊技者の耳に装着し、集音カップリング８を遊技機２のスピーカ５に設置した状態で、接続カップリング１１の中空音伝送チューブ９に対する位置を、中空音伝送チューブ９が遊技の邪魔にならない位置に調整する。遊技者による使用が済んだ遊技機用集音装置１は回収され、集音カップ８及び聴音耳当接部材１０を中空音伝送チューブ９から分離し、接続カップリング１１の係合を解除し、各部材をばらばらにして洗浄、消毒する。洗浄、消毒後、中空音伝送チューブ９に集音カップ８、聴音耳当接部材１１を接続し、接続カップリング１１同士を接続状態とし、次の使用のための準備が整う。接続カップリング１１で接続状態としておくことで、遊技機用集音装置１の不使用時の保管、再使用時の遊技者への貸与がスムーズに実施できる。各部材を分離して洗浄、消毒できるので衛生的である。
【００２３】
図５は、遊技機用集音装置１の他の実施形態を示すものである。この実施形態では、聴音耳当接部材１０をヘッドホンのタイプとしたもので、他の部材の構成は、図４に示される実施形態と同様であるので説明を省略する。
【００２４】
図６は、本考案の遊技機用集音装置１の使用状態を示す図である。設置ベースには遊技機２が設置され、遊技者３は椅子４に腰掛けている。遊技機２の下部（又は上部）には左右１対のスピーカ５が配置され、スピーカ５の上部には係止具６が設けられ、遊技機用集音装置１の集音カップ８の上部突起部部８ａの係合穴８ｂを係止具６に引っかけることにより、集音カップ８を遊技機２のスピーカ５に配設可能にしている。
【００２５】
以上のように本考案の構成の遊技機用集音装置１は、遊技機２に新たな設備を設けることなく低コストで製造ができ、集音カップ８のスピーカ５への装着が容易で、周囲の騒音をシャットアウトして音質が良いスピーカ５から発生する演出音を周囲の騒音に邪魔されることなく明瞭に聞き取ることができ、さらに、電気的な部品を一切使用していないので遊技機の電子部品に影響を与えることがなく、各部材を分離できるので洗浄、消毒が容易で衛生的な遊技機用集音装置１を提供することができる。
【図面の簡単な説明】
【００２６】
【図１】パチンコ機におけるスピーカの配置状態の一例を示す図である。
【図２】パチスロ機におけるスピーカの配置状態の一例を示す図である。
【図３】（Ａ）（Ｂ）集音カップを説明するための図である。
【図４】遊技機用集音装置の一実施形態を示す図である。
【図５】遊技機用集音装置の他の実施形態を示す図である。
【図６】遊技機用集音装置の使用状態を示す図である。
【符号の説明】
【００２７】
１：遊技機用集音装置、２：遊技機、３：遊技者、４：椅子、５：スピーカ、６：係止具、８：集音カップ、８ａ：上部突起部、８ｂ：係合穴、８ｃ：下部突起部、８ｄ：錘、８ｅ：接続部、９：中空音伝送チューブ、１０：聴音耳当接部材、１１：接続カップリング
【図１】
0003146108.tif 000003
【図２】
0003146108.tif 000004
【図３】
0003146108.tif 000005
【図４】
0003146108.tif 000006
【図５】
0003146108.tif 000007
【図６】
0003146108.tif 000008
【手続補正書】
【提出日】平成20年8月27日(2008.8.27)
【手続補正１】
【補正対象書類名】図面
【補正対象項目名】図１
【補正方法】変更
【補正の内容】
【図１】
0003146108.tif 000009